(57)【特許請求の範囲】
【請求項１】
事業者が用意しているサービスを実行する実行手段と、前記実行手段のサービスの実行要求を他端末に許可するパスワードを作成する作成手段と、前記作成手段で作成されたパスワードを前記他端末へ送信する送信手段とを備えた第１携帯電話端末と、
前記第１携帯電話端末から送信されたパスワードを受信する受信手段と、前記受信手段で受信したパスワードを記憶しておくパスワードメモリと、前記パスワードメモリに記憶してあるパスワードを用いて前記第１携帯電話端末の実行手段にサービス実行要求を行う要求手段とを備えた第２携帯電話端末と、
前記第１携帯電話端末で作成されたパスワードを登録しておくデータベースと、前記第２携帯電話端末から前記パスワードを用いて前記第１携帯電話端末に対してサービス実行要求がされたときに当該パスワードと前記データベースに登録してあるパスワードとを照合する照合手段と、前記照合手段で前記各パスワードが一致していると判別されたときに前記第１携帯電話端末に対して位置検索命令を行う命令手段とを備えたサーバとを有することを特徴とする携帯電話システム。
【請求項２】
前記サービスは、自端末の置かれている位置を検索すること、電話又はメールの着信拒否を行うことであることを特徴とする請求項１記載の携帯電話システム。
【請求項３】
さらに、第１携帯電話端末は前記作成手段で作成されたパスワードを暗号化する暗号化手段を備え、前記第２携帯電話端末は前記暗号化手段で暗号化されたパスワードを復号化する復号化手段を備えることを特徴とする請求項１記載の携帯電話システム。
【請求項４】
さらに、前記第１携帯電話端末は前記作成手段で作成されたパスワードの履歴を保存する履歴用メモリを備えており、前記作成手段は前記履歴用メモリに保存されているパスワードの履歴を参照して過去に使用されていないパスワードに更新する手段を備えることを特徴とする請求項１記載の携帯電話システム。
【請求項５】
さらに、前記第１携帯電話端末は前記パスワードの送信先を保存する送信先メモリを備えており、前記送信手段は前記送信先メモリに保存されている送信先に前記パスワードを送信することを特徴とする請求項１記載の携帯電話システム。
【請求項６】
前記送信先メモリには、前記パスワードの送信先とともに名前と電話番号とメールアドレスとが一対で保存されていることを特徴とする請求項５記載の携帯電話システム。
【請求項７】
前記送信手段は、前記送信先メモリに保存されているメールアドレス宛に前記パスワードを送信することを特徴とする請求項６記載の携帯電話システム。
【請求項８】
さらに、前記第２携帯電話端末は前記受信手段で受信されたパスワードを報知することなく前記パスワードメモリに記憶する記憶手段を備えることを特徴とする請求項３記載の携帯電話システム。
【請求項９】
前記第１携帯電話端末で複数のパスワードを作成し、各パスワードを異なる頻度で更新することを特徴とする請求項１記載の携帯電話システム。
【請求項１０】
前記第１携帯電話端末は、既にパスワードを送信している携帯電話端末に対して前記パスワードを強制的に消去する情報を送信することを特徴とする請求項１記載の携帯電話システム。
【発明の詳細な説明】
【０００１】
【発明の属する技術分野】
本発明は、携帯電話端末に関し、特に、自端末或いは他端末の置かれている位置を検索する携帯電話端末に関する。
【０００２】
【従来の技術】
従来、全地球測位システム（Ｇｌｏｂａｌ  Ｐｏｓｉｔｉｏｎｉｎｇ  Ｓｙｓｔｅｍ：ＧＰＳ）衛星などを用いて自端末或いは他端末の位置を検索する携帯電話端末がある。他端末の位置を検索するには、その検索に先立って他端末側からパスワードを入手しておく必要がある。
【０００３】
パスワードは、他端末の使用者によって例えば４桁の数字の組合せが選択されることによって作成され、位置検索を許可できる者だけに口答などで伝えられていた。こうして、パスワードを入手した者は、そのパスワードを自端末に入力していた。
【０００４】
【発明が解決しようとする課題】
しかし、従来の技術は、パスワードの作成、伝達が携帯電話端末の使用者によって行われており、またパスワードは漏洩することがないように伝達することが強いられおり、利便性の向上が望まれていた。
【０００５】
さらに、パスワードの漏洩対策として、定期的にパスワードの更新が必要であった。更新したパスワードを伝達するときには上記と同様の問題が生じるし、通常、パスワードはなじみのある数列となるように選択することが多いため、更新後のパスワードを過去に選択したことのあるものにすると、漏洩対策が無意味になることがあり、この点も改善が望まれていた。
【０００６】
ここで、特開平１１−１７８０４７号公報には、使用者本人が所有する無線携帯端末の位置情報を容易に獲得するために、無線通信による着信に自動応答する着信自動応答制御手段と、所定の位置情報を獲得する位置情報獲得手段と、位置情報を転送する位置情報送信手段と、着信自動応答時に前記位置情報獲得手段により位置情報を獲得してその位置情報を位置情報送信手段により発信元に送信するように制御する制御手段とを有する無線携帯端末について記載されている。
【０００７】
また、特開平９−２８４８３３号公報には、被検索側移動端末の位置を通話しなくても知ることができるように、被検索側移動端末の最新の現在位置を検索する検索側移動端末と、この検索側移動端末と無線エリア（セル）が必ずしも一致しない無線エリア（セル）内にいる被検索移動端末とを備えて成り、被検索側移動端末は最新の現在位置情報を入力して記憶する記憶手段と、検索側移動端末から送信されてくる予め定められた暗証番号，検索コードを受信して自己のものと一致すると最新の現在位置情報を送信する第１の送信手段とを備える移動端末の位置検索システムについて記載されている。
【０００８】
しかし、特開平１１−１７８０４７号公報には他の携帯電話端末の位置情報を取得する技術がなく、特開平９−２８４８３３号公報にはパスワード（暗証番号）の具体的な作成手法についての開示がなく、これらの技術によっても、上記利便性の向上は困難であった。
【０００９】
そこで、本発明は、携帯電話端末に関するパスワードの伝達時の利便性を向上させることを課題とする。
【００１０】
また、本発明は、携帯電話端末に関するパスワードの漏洩防止を図ることを課題とする。
【００１１】
【課題を解決するための手段】
上記課題を解決するために、本発明の携帯電話システムは、事業者が用意しているサービスを実行する実行手段と、前記実行手段のサービスの実行要求を他端末に許可するパスワードを作成する作成手段と、前記作成手段で作成されたパスワードを前記他端末へ送信する送信手段とを備えた第１携帯電話端末と、前記第１携帯電話端末から送信されたパスワードを受信する受信手段と、前記受信手段で受信したパスワードを記憶しておくパスワードメモリと、前記パスワードメモリに記憶してあるパスワードを用いて前記第１携帯電話端末の実行手段にサービス実行要求を行う要求手段とを備えた第２携帯電話端末と、前記第１携帯電話端末で作成されたパスワードを登録しておくデータベースと、前記第２携帯電話端末から前記パスワードを用いて前記第１携帯電話端末に対してサービス実行要求がされたときに当該パスワードと前記データベースに登録してあるパスワードとを照合する照合手段と、前記照合手段で前記各パスワードが一致していると判別されたときに前記第１携帯電話端末に対して位置検索命令を行う命令手段とを備えたサーバとを有することを特徴とする。
【００１２】
【発明の実施の形態】
以下、本発明の実施形態について図面を参照して説明する。
【００１３】
［構成の説明］
図１は、本発明の実施形態の携帯電話システムの模式的な構成図である。図２は、図１の携帯電話端末１１の模式的な内部構成を示すブロック図である。図３は、図１の携帯電話端末１４の模式的な内部構成を示すブロック図である。
【００１４】
図１には、自端末の置かれている位置を検索する携帯電話端末１１と、携帯電話端末１１の位置検索の実行要求を行う携帯電話端末１４と、携帯電話端末１４の要求に応じて携帯電話端末１１に位置検索命令を行うサーバ１２と、携帯電話端末１１が自端末の置かれている位置を検索するためのＧＰＳ衛星１８とを示している。
【００１５】
サーバ１２は、携帯電話端末１１で作成された位置検索要求を許可する携帯電話端末に送信するパスワードを登録しておくデータベース１３と、携帯電話端末１４からパスワードを用いて携帯電話端末１１の位置検索の実行要求がされたときにそのパスワードとデータベース１３に登録してあるパスワードとを照合する照合手段１５と、照合手段１５で各パスワードが一致していると判別されたときに携帯電話端末１１に対して位置検索命令を行う命令手段１６と、携帯電話端末１１，１４と通信を行う通信手段１７とを備える。
【００１６】
なお、図１には、ＧＰＳ衛星１８を１つのブロックで図示しているが、実際には、ＧＰＳ衛星１８は複数あり、位置検索を行うときにはそれらのうちの例えば３つ或いは４つのＧＰＳ衛星と携帯電話端末１１との間で電波を送受信する。
【００１７】
また、携帯電話端末１１は、ＧＰＳ衛星１８に代えて図示しない３つ以上の基地局との間で送受信する電波に基づいて位置検索を行うようにしたり、サーバ１２に以下説明する検索手段２７（図２）を備えておき、サーバ１２と携帯電話端末１１との間で予め相互の位置情報を取得した状態でサーバ１２とＧＰＳ衛星１８との間で送受信する電波、及び携帯電話端末１１とＧＰＳ衛星１８との間で送受信する電波に基づいて位置検索を行うようにしてもよい。
【００１８】
図２には、ＧＰＳ衛星１８との間で送受信する電波に基づいて自端末の置かれている位置を検索する検索手段２７と、自端末の位置検索の実行要求を他端末に許可するパスワードを作成するパスワード作成手段２９と、パスワード作成手段２９で作成されたパスワードを携帯電話端末１４及びサーバ１３へ送信したりサーバ１２からの命令を受信する無線手段２２と、パスワード作成手段２９で作成されたパスワード及びそれらの履歴を保存するパスワードメモリ２３と、パスワードの送信先と名前と電話番号と電子メールアドレス（ｅメールアドレス）とが一対で保存されるアドレス帳２８と、更新後のパスワードを携帯電話端末１４等へ携帯電話端末１１の使用者の指示なく送るかどうかを示す情報を記憶する読み出し書き込みメモリ（以下、「ＲＡＭ」と称する。）２４と、携帯電話端末１１本体の動作を実行するためのプログラムを記録しておく読み出し専用メモリ（以下、「ＲＯＭ」と称する。）２５と、携帯電話端末１１の使用者等によって押下される数字キーなどの操作手段２６と、ＲＯＭ２５に記憶してあるプログラムに従って携帯電話端末１１本体の動作を制御する制御手段２１とを示している。
【００１９】
なお、パスワード作成手段２９は、作成したパスワードの秘匿性を保持するためにそのパスワードを暗号化する暗号化手段を備えている。パスワード作成手段２９は、パスワードメモリ２３に保存されているパスワードの履歴を参照して過去に使用されていないパスワードを作成するようにしている。
【００２０】
アドレス帳２８には、更新後のパスワードの自動送信するかどうかを示す情報が例えばｅメールアドレス毎に保存されている。
【００２１】
制御手段２１はタイマーを内蔵しており、例えば一週間あるいは一ヶ月毎にパスワード作成手段２９に対してパスワードの更新命令を行うようにしている。
【００２２】
図３には、携帯電話端末１１から送信されたパスワードを受信したりサーバ１２に対して携帯電話端末１１の位置検索の実行要求を行うための無線手段３２と、無線手段３２で受信したパスワードを例えば送信元の携帯電話端末に割り当てられているｅメールアドレスと一対で記憶しておくパスワードメモリ３３と、パスワードメモリ３３に記憶してあるパスワードを画像や音声などで報知することなく更新する更新手段３７と、アドレス帳２８と同様に構成されているアドレス帳３８、ＲＡＭ２４と同様に構成されているＲＡＭ３４と、ＲＯＭ２５と同様に構成されているＲＯＭ３５と、操作手段２６と同様に構成されている操作手段３６と、制御手段２１と同様に構成されている制御手段３１を示している。
【００２３】
なお、無線手段３２は、暗号化されて送信されてくるパスワードを復号化する復号化手段を備えている。制御手段３１は、使用者の指示に従って携帯電話端末１１の位置検索の実行要求を行うようにしている。
【００２４】
［動作の説明］
図４は、図１に示す携帯電話システムの動作の概要を示すシーケンス図である。図５は、図１の携帯電話端末１１から携帯電話端末１４へ更新したパスワードを送信する動作を示すフローチャートである。図６は、図１の携帯電話端末１４のパスワードを受信してからパスワードメモリ３３に記憶するまでの動作を示すフローチャートである。
【００２５】
まず、図４に示すシーケンス図を参照しながら、図１に示す携帯電話システムの動作の概要について説明する。
【００２６】
携帯電話端末１１は、サーバ１２に対して更新後のパスワードの登録要求メッセージを送信する（ステップＳ５１）。
【００２７】
なお、携帯電話端末１１は、複数のパスワードを作成するようにして、パスワードの送信先をランク付けして短期的にパスワードを知らせる携帯電話端末と、長期的にパスワードを知らせる携帯電話端末とに分けて異なるパスワードを送信したり、パスワード毎に更新頻度を変えることによって秘匿性のランク付けをしてパスワードを送信するようにしてもよい。
【００２８】
サーバ１２は、携帯電話端末１１から送信された更新後のパスワードを受信すると、データベース１３に登録してある携帯電話端末１１のパスワードを更新後のパスワードに書き換える（ステップＳ５２）。
【００２９】
サーバ１２は、パスワードの書き換えが完了すると、携帯電話端末１１に対してその旨のメッセージを返信する（ステップＳ５３）。
【００３０】
なお、サーバ１２に複数のパスワードを登録するような場合には、パスワードを書き換えるだけでなく、登録の追加を行い、その旨のメッセージを返信するようにしている。
【００３１】
携帯電話端末１１は、サーバ１２から返信されたメッセージを受信すると、携帯電話端末１１に対して、更新後のパスワードを送信する（ステップＳ５４）。
【００３２】
携帯電話端末１４は、携帯電話端末１１から送信された更新後のパスワードを受信すると、そのパスワードを記憶する（ステップＳ５５）。
【００３３】
携帯電話端末１４は、携帯電話端末１１の位置検索を行いたいときには、記憶しているパスワードを付した位置検索要求メッセージをサーバ１２に対して送信する（ステップＳ５６）。
【００３４】
サーバ１２は、携帯電話端末１４から送信された位置検索要求メッセージを受信すると、その旨のメッセージを携帯電話端末１４に通知する（ステップＳ５７）。
【００３５】
サーバ１２は、携帯電話端末１４が送信してきた携帯電話端末１１のパスワードがデータベース１３に登録してある携帯電話端末１１のパスワードと同じかどうかを判別して、これらのパスワードが同じ場合には携帯電話端末１１に対して位置検索命令を行う（ステップＳ５８）。
【００３６】
パスワードが異なる場合には、携帯電話端末１４にその旨の通知を返信する。
【００３７】
携帯電話端末１１は、サーバ１２からの位置検索命令に従って、携帯電話端末１４から位置検索要求がされている旨をモニタに表示したり、スピーカから音を発するなどして、使用者に応答するかどうかの指示を入力するように促す。
【００３８】
携帯電話端末１１の使用者が、指示を入力すると、この指示が位置検索要求に応答するものであるかどうかの判別が行われる（ステップＳ５９）。
【００３９】
判別の結果、ユーザが入力した指示が位置検索要求に応答しない指示である場合には、携帯電話端末１１はサーバ１２を通じて携帯電話端末１４に対して、位置検索を拒否する旨の返信を行う。
【００４０】
携帯電話端末１１は、位置検索してほしくない携帯電話端末から、何度も位置検索要求がされるような場合には、その携帯電話端末にそれまでのパスワードを強制的に消去する情報を付加したダミーのパスワードを送り、位置検索を拒否するようにしてもよい。
【００４１】
こうすると、ダミーのパスワードを受信した携帯電話端末は、受信したパスワードを用いてサーバ１２を通じて位置検索要求を行うことになるが、サーバ１２ではパスワードの照合が行えないため、携帯電話端末１１に位置検索命令がされなくなる。
【００４２】
一方、判別の結果、ユーザが入力した指示が位置検索要求に応答する指示である場合には、携帯電話端末１１はＧＰＳ衛星１８との間で電波の送受信を行い、自端末が置かれている位置を検索する（ステップＳ５ａ）。
【００４３】
携帯電話端末１１は、位置検索を完了するとサーバ１２に対して位置情報を送信する。
【００４４】
サーバ１２は、携帯電話端末１１の位置情報を受信すると、携帯電話端末１４に対して、携帯電話端末１１の位置情報を送信する（ステップＳ５ｂ）。
【００４５】
このようにして、携帯電話端末１４は、携帯電話端末１１の位置情報を取得している。
【００４６】
つぎに、図５に示すフローチャートを参照しながら、図１の携帯電話端末１１から携帯電話端末１４へ更新したパスワードを送信する動作について説明する。
【００４７】
まず、携帯電話端末１１側では、使用者の設定により、制御手段２１でパスワードの更新命令を発する期間を予め設定しておく。
【００４８】
制御手段２１は、使用者に設定された期間をタイマーにセットし、タイムアウトしたときにパスワード作成手段２９にパスワードの作成命令を発する（ステップＳ４１）。
【００４９】
なお、制御手段２１は、タイマーがタイムアウトするまでは、音声またはパケット通信の待ち受け処理を実行している。
【００５０】
パスワード作成手段２９は、制御手段２１からパスワードの作成命令が発せられるとパスワードを更新する（ステップＳ４２）。
【００５１】
このとき、更新したパスワードが、パスワードメモリ２３に記憶しているパスワードの履歴にあるかどうかを判別する（ステップＳ４３）。
【００５２】
判別の結果、更新したパスワードがパスワードメモリ２３に記憶しているパスワードの履歴にあれば再度パスワード作成手段２９で履歴にないものになるようにパスワードを更新する。
【００５３】
パスワード作成手段２９は、こうして更新したパスワードをパスワードメモリ２３に記憶する（ステップＳ４４）。
【００５４】
つぎに、制御手段２１は、ＲＡＭ２４を参照して、携帯電話端末１４及びサーバ１２に対して、新たなパスワードを自動的に送信する設定がされているかを確認する（ステップＳ４５）。
【００５５】
判別の結果、新たなパスワードを自動的に送信する設定がされている場合には、パスワード作成手段２９は、更新したパスワードをＳＳＬ（Ｓｅｃｕｒｅ  Ｓｏｃｋｅｔ  Ｌａｙｅｒ）などのプロトコルに従って暗号化してから無線手段２２へ送る（ステップＳ４６）。
【００５６】
一方、判別の結果、新たなパスワードを自動的に送信する設定がされていない場合には、図４に示す処理を終了する。この場合には、携帯電話端末１１の使用者が手動で更新後のパスワードをサーバ１２及び携帯電話端末１４へ送ることになる。
【００５７】
無線手段２２は、パスワード作成手段２９で暗号化されたパスワードをサーバ１２へ送信する（ステップＳ４７）。
【００５８】
その後、制御手段２１は、サーバ１２からデータベース１３のパスワードが書き換えられたことを示す返信メッセージを受信すると、アドレス帳２８に保存されている携帯電話端末１４を含む、更新後のパスワードを送信する旨の情報が付されているｅメールアドレスを読み出す（ステップＳ４８）。
【００５９】
そして、制御手段２１は、携帯電話端末１１に更新後のパスワードを知らせるために送信するｅメールに付すサブジェクトを作成する（ステップＳ４９）。
【００６０】
サブジェクトは、更新後のパスワードを送信することを示す印や文章としている。
【００６１】
それから、パスワードメモリ２３に記憶してある更新前後のパスワードを読み出して、それらをｅメールの本文に貼り付けて無線手段２２によって送信する（ステップＳ５０）。
【００６２】
なお、制御手段２１等の動作は、ＲＯＭ２５に格納されているプログラムに従って行われる。
【００６３】
つづいて、図６に示すフローチャートを参照しながら、図１の携帯電話端末１４のパスワードを受信してからパスワードメモリ３３に記憶するまでの動作について説明する。
【００６４】
携帯電話端末１４は、携帯電話端末１１から更新後のパスワードが貼り付けられたｅメールを無線手段３２によって受信する（ステップＳ６１）。
【００６５】
無線手段３２は、受信したｅメールを復号化して制御手段３１へ出力する。
【００６６】
制御手段３１は、無線手段３２から出力されたｅメールのサブジェクトを参照して、そのサブジェクトがパスワードを通知するｅメールであるかどうかを判別する（ステップＳ６２）。
【００６７】
判別の結果、無線手段３２から出力されたｅメールがパスワードを通知するｅメールでない場合には、制御手段３１は、そのｅメールを受信箱へ格納する（ステップＳ６６）。
【００６８】
一方、判別の結果、無線手段３２から出力されたｅメールがパスワードを通知するｅメールである場合には、制御手段３１は、ｅメールを受信した旨をモニタに表示したり、スピーカから出力して、使用者に報知してから、そのｅメールを更新手段３７へ出力する。
【００６９】
更新手段３７は、制御手段３１から出力されたｅメールを入力すると、そのｅメールの送信元のメールアドレスに基づいてアドレス帳３８を参照して、そのメールアドレスが登録されているかどうか判別する（ステップＳ６３）。
【００７０】
判別の結果、制御手段３１から出力されたｅメールの送信元のメールアドレスがアドレス帳３８に登録されていない場合には、制御手段３１は、そのｅメールを受信箱へ格納する（ステップＳ６６）。
【００７１】
一方、判別の結果、制御手段３１から出力されたｅメールの送信元のメールアドレスがアドレス帳３８に登録されている場合には、ｅメールを受信した旨をモニタに表示することなく、またスピーカから出力することなく、そのｅメールを更新手段３７へ出力する。
【００７２】
更新手段３７は、制御手段２１から出力されたｅメールのｅメールアドレスに基づいてパスワードメモリ３３を参照して、パスワードメモリ３３に記憶されている携帯電話端末１１のパスワードを消去する（ステップＳ６４）。
【００７３】
そして、削除した領域に、携帯電話端末１１のｅメールアドレスと一対で、更新後のパスワードを記憶する（ステップＳ６５）。
【００７４】
なお、制御手段３１等の動作は、ＲＯＭ３５に格納されているプログラムに従って行われる。
【００７５】
こうして、携帯電話端末１４が、外部に漏洩することなく取得した更新後のパスワードで、携帯電話端末１１の位置検索要求を行えるようにしている。
【００７６】
以上、本実施形態では、携帯電話端末１４が携帯電話端末１１の位置検索を行う際に必要なパスワードを例に説明したが、パスワードは他の許可や認証の際の用いるものであってもよい。
【００７７】
例えば携帯電話端末１１へ電話をかけるときやｅメールを送るときにパスワードを入力するようにしておけば、電話の着呼等を拒否したい携帯電話端末に更新後のｅメールを送らないようにすることによって、携帯電話端末１１でその電話の着呼等を拒否できるようになる。
【００７８】
【発明の効果】
以上、説明したように、本発明によると、携帯電話端末に関するパスワードの伝達時の利便性を向上させることができる。
【００７９】
また、本発明によると、携帯電話端末に関するパスワードの漏洩防止を図ることができる。
【図面の簡単な説明】
【図１】本発明の実施形態の携帯電話システムの模式的な構成図である。
【図２】図１の携帯電話端末１１の模式的な内部構成を示すブロック図である。
【図３】図１の携帯電話端末１４の模式的な内部構成を示すブロック図である。
【図４】図１に示す携帯電話システムの動作の概要を示すシーケンス図である。
【図５】図１の携帯電話端末１１から携帯電話端末１４へ更新したパスワードを送信する動作を示すフローチャートである。
【図６】図１の携帯電話端末１４のパスワードを受信してからパスワードメモリ３３に記憶するまでの動作を示すフローチャートである。
【符号の説明】
１１，１４  携帯電話端末
１２  サーバ
１３  データベース
１５  照合手段
１６  命令手段
１７  通信手段
１８  ＧＰＳ衛星
２１，３１  制御手段
２２，３２  無線手段
２３，３３  パスワードメモリ
２４，３４  ＲＡＭ
２５，３５  ＲＯＭ
２６，３６  操作手段
２７  検索手段
２８，３９  アドレス帳
２９  パスワード作成手段
３７  更新手段
【図１】
0003596518.tif 000002
【図２】
0003596518.tif 000003
【図３】
0003596518.tif 000004
【図４】
0003596518.tif 000005
【図５】
0003596518.tif 000006
【図６】
0003596518.tif 000007